(57)【要約】      （修正有）【課題】シートを視認することができるカバーであって、使用者の感性や目的に合わせてシートを選択して用いることができるオリジナルのカバーを提供する。【解決手段】本カバー１００は、被覆体とシートとを保護するカバーであって、被覆体とシートとを畳重して覆う覆体１０２を備え、覆体１０２は、少なくとも１つの開口部１０４を有し、少なくとも１つの開口部１０４は、シートが露出する位置に設けられている。被覆体を保持する保持部１０６を更に備え得る。覆体１０２と保持部１０６との間にシートと被覆体とを差し込む差込部１０８を更に備え得る。【選択図】図１
0003164620.tif 000002
【実用新案登録請求の範囲】
【請求項１】
被覆体とシートとを保護するカバーであって、
前記被覆体と前記シートとを畳重して覆う覆体を備え、
前記覆体は、少なくとも１つの開口部を有し、
前記少なくとも１つの開口部は、前記シートが露出する位置に設けられている、カバー。
【請求項２】
前記被覆体を保持する保持部を更に備える、請求項１に記載のカバー。
【請求項３】
前記覆体と前記保持部との間に前記シートと前記被覆体とを差し込む差込部を更に備える、請求項２に記載のカバー。
【請求項４】
被覆体と複数のシートとを保護するカバーであって、
前記被覆体と前記複数のシートのうちの第１シートとを畳重して覆う第１覆体と、
前記被覆体と前記複数のシートのうちの第２シートとを畳重して覆う第２覆体と、
を備え、
前記第１覆体は、少なくとも１つの第１開口部を有し、
前記第２覆体は、少なくとも１つの第２開口部を有し、
前記少なくとも１つの第１開口部は、前記第１シートが露出する位置に設けられており、
前記少なくとも１つの第２開口部は、前記第２シートが露出する位置に設けられている、カバー。
【請求項５】
前記被覆体の一部を保持する第１保持部と、
前記被覆体の他の一部を保持する第２保持部と、
前記第１覆体と前記第１保持部との間に前記第１シートと前記被覆体の前記一部とを差し込む第１差込部と、
前記第２覆体と前記第２保持部との間に前記第２シートと前記被覆体の前記他の一部とを差し込む第２差込部と
を備える、請求項４に記載のカバー。
【請求項６】
被覆体と複数のシートとを保護するカバーであって、
前記複数のシートのうちの第１シートを覆う第１覆体と、
前記複数のシートのうちの第２シートを覆う第２覆体と、
前記第１覆体と前記第２覆体とを係止する係止部と、
前記第１シートを交換可能に保持する第１保持部と、
前記第２シートを交換可能に保持する第２保持部と、
を備え、
前記第１覆体は、少なくとも１つの第１開口部を有し、
前記第２覆体は、少なくとも１つの第２開口部を有し、
前記少なくとも１つの第１開口部は、前記第１シートが露出する位置に設けられており、
前記少なくとも１つの第２開口部は、前記第２シートが露出する位置に設けられている、カバー。
【考案の詳細な説明】
【技術分野】
【０００１】
本考案は、被覆体とシートとを保護するカバーに関する。
【背景技術】
【０００２】
特許文献１には、本の背表紙や表紙のタイトル記載部分に対応する部分に開口部を有するブックカバーが開示されている。特許文献１で開示のブックカバーによれば、本からブックカバーを剥がすことなく、ブックカバーの開口部から本のタイトルを視認し得る。
【先行技術文献】
【特許文献】
【０００３】
【特許文献１】特開平７−２２３３８８号公報
【考案の概要】
【考案が解決しようとする課題】
【０００４】
しかし、特許文献１で開示のブックカバーによれば、開口部からは被覆体（本）しか視認できなかった。従って、使用者の感性や目的に合ったオリジナルのカバーを実現することはできなかった。
【０００５】
本考案は、被覆体に依存することなくシートを視認することができるカバーであって、使用者の感性や目的に合わせてシートを選択して用いることができるオリジナルのカバーを提供することを目的とする。
【課題を解決するための手段】
【０００６】
上記課題を解決するために、本考案に係るカバーは、被覆体とシートとを保護するカバーであって、被覆体とシートとを畳重して覆う覆体を備え、覆体は、少なくとも１つの開口部を有し、少なくとも１つの開口部は、シートが露出する位置に設けられていることを特徴とする。背景技術の項目で説明したように、従来のカバーは、カバーに開口部を有しているものの、開口部からは被覆体しか視認できなかった。一方、本考案のカバーによれば、カバーが有する少なくとも１つの開口部は、シートが露出する位置に設けられている。よって、少なくとも１つの開口部からシートを視認することができる。その結果、被覆体に依存することなくシートを視認することができるカバーを実現し得る。
【０００７】
本考案のカバーの好適な実施形態によれば、被覆体を保持する保持部を更に備える。本考案のカバーの好適な実施形態によれば、覆体と保持部との間にシートと被覆体とを差し込む差込部を更に備える。従って、差込部に差し込むシートを交換することができる。その結果、被覆体に依存することなく使用者の感性や目的に合わせてシートを選択して用いることができ、被覆体に依存しないオリジナルのカバーを実現し得る。また、シートと被覆体とを同一箇所に挿入することにより、カバーの構成を単純化することができる。その結果、シートと被覆体とを別々の隙間に挿入する場合に比べて、カバー製造のコストを下げることができる。
【０００８】
本考案のカバーは、被覆体と複数のシートとを保護するカバーであって、被覆体と複数のシートのうちの第１シートとを畳重して覆う第１覆体と、被覆体と複数のシートのうちの第２シートとを畳重して覆う第２覆体とを備え、第１覆体は、少なくとも１つの第１開口部を有し、第２覆体は、少なくとも１つの第２開口部を有し、少なくとも１つの第１開口部は、第１シートが露出する位置に設けられており、少なくとも１つの第２開口部は、第２シートが露出する位置に設けられている。
【０００９】
本考案のカバーの好適な実施形態によれば、被覆体の一部を保持する第１保持部と、被覆体の他の一部を保持する第２保持部と、第１覆体と第１保持部との間に第１シートと被覆体の一部とを差し込む第１差込部と、第２覆体と第２保持部との間に第２シートと被覆体の他の一部とを差し込む第２差込部とを備える。
【００１０】
本考案のカバーは、被覆体と複数のシートとを保護するカバーであって、複数のシートのうちの第１シートを覆う第１覆体と、複数のシートのうちの第２シートを覆う第２覆体と、第１覆体と第２覆体とを係止する係止部と、第１シートを交換可能に保持する第１保持部と、第２シートを交換可能に保持する第２保持部とを備え、第１覆体は、少なくとも１つの第１開口部を有し、第２覆体は、少なくとも１つの第２開口部を有し、少なくとも１つの第１開口部は、第１シートが露出する位置に設けられており、少なくとも１つの第２開口部は、第２シートが露出する位置に設けられている。
【図面の簡単な説明】
【００１１】
【図１】本考案の実施形態１に係るカバー１００を示す模式図である。
【図２】カバー１００の使用状態を示す模式図である。
【図３】本考案の実施形態２に係るカバー２００を示す模式図である。
【図４】本考案の実施形態２に係るカバー２００の製造方法を示す模式図である。
【図５】本考案の実施形態２に係るカバー２００の他の製造方法を示す模式図である。
【図６】本考案の実施形態３に係る照明灯用カバー３００を示す写真である。
【図７】複数のカバー（第１カバー６００ａ、第２カバー６００ｂ、第３カバー６００ｃ、第４カバー６００ｄ）を示す写真である。
【図８】複数の覆体（覆体ａ、覆体ｂ、覆体ｃ）を示す図である。
【考案を実施するための形態】
【００１２】
図１〜図８を参照して、本考案のカバーに関する実施形態を説明する。本考案は、以下に説明する実施形態や図面に記載される構成に限定されることを意図せず、当該構成と均等な構成も含む。
【００１３】
[実施形態１]
[カバー]
図１は、本考案の実施形態１に係るカバー１００を示す模式図である。図１（ａ）は、カバー１００の表面を示し、図１（ｂ）は、カバー１００の裏面を示す。図２は、カバー１００の使用状態を示す模式図である。カバー１００は、被覆体ＡとシートＢとを保護する。図２（ａ）は、覆われるべき対象（被覆体Ａ）とシートＢとがカバー１００に挿入される前の状態を示し、図２（ｂ）は、被覆体ＡとシートＢとがカバー１００に挿入された後の状態を示す。本考案の実施形態１において、被覆体Ａはカードケースであり、シートＢは模様入り和紙である。本考案の実施形態１において、カバー１００は、カードケース用カバーとして機能する。
【００１４】
カバー１００は、被覆体ＡとシートＢとを畳重して覆う覆体１０２を備える。覆体１０２は、４つの矩形開口部１０４（第１開口部１０４ａ、第２開口部１０４ｂ、第３開口部１０４ｃ、第４開口部１０４ｄ）を有し、開口部１０４は、シートＢが露出する位置に設けられている。
【００１５】
カバー１００は、被覆体Ａを保持する保持部１０６を更に備える。覆体１０２と保持部１０６との間には、被覆体ＡとシートＢとを差し込む差込部１０８が形成されている。差込部１０８からは、覆体１０２に接する側にシートＢが挿入され、保持部１０６に接する側に被覆体Ａが挿入される。その結果、被覆体ＡとシートＢとは畳重して覆体１０２に覆われ、シートＢに付された模様が開口部１０４から視認し得るようにシートＢが配置される。保持部１０６は溶着領域１２０を含む。溶着領域１２０は、高周波溶着機によって覆体１０２と保持部１０６とを溶着したことによって生じた領域であり、溶着領域１２０において、覆体１０２と保持部１０６とが溶着している。
【００１６】
本考案の実施形態１において、覆体１０２は矩形の黒色合成プラスチック（塩化ビニル）であり、保持部１０６は半透明フィルム（塩化ビニル）である。
【００１７】
本考案の実施形態１に係るカバー１００によれば、カバー１００が有する少なくとも１つの開口部は、シートが露出する位置に設けられている。よって、少なくとも１つの開口部からシートに付された模様を視認することができる。その結果、被覆体に依存することなくシートに付された模様を視認することができるカバーを実現し得る。
【００１８】
本考案の実施形態１に係るカバー１００によれば、差込部に差し込むシートを交換することができる。その結果、使用者の感性や目的に合わせてシートを選択して用いることができ、オリジナルのカバーを実現し得る。また、シートと被覆体とを同一箇所に挿入することにより、カバーの構成を単純化することができる。その結果、シートと被覆体とを別々の隙間に挿入する場合に比べて、カバー製造のコストを下げることができる。
【００１９】
なお、本考案の実施形態１において、カバー１００は、カードケース用カバーとして機能するが、カバー１００が覆体１０２と保持部１０６と差込部１０８とを有する限りはカードケース用カバーとして機能することに限定されない。被覆体Ａがカード（キャッシュカード、セキュリティーカード、ネームカード（名刺）等）であれば、カバー１００はカード用カバー（カードケース）として機能する。
【００２０】
[実施形態２]
[ブックカバー]
図３は、本考案の実施形態２に係るカバー２００を示す模式図である。カバー２００は、被覆体Ａと複数のシートＢとを保護する。図３（ａ）は、カバー２００の表面を示し、図３（ｂ）は、カバー２００の裏面を示し、図３（ｃ）は、被覆体Ａをカバー２００で覆った状態（カバー２００の使用状態）を示す。本考案の実施形態２において、被覆体Ａは本であり、複数のシートＢの各々は模様入り和紙である。本考案の実施形態２において、カバー２００は、ブックカバーとして機能する。
【００２１】
カバー２００は、被覆体Ａと複数のシートＢ（第１シートＢ１と第２シートＢ２）とを保護する。カバー２００は、被覆体Ａと第１シートＢ１とを畳重して覆う第１覆体２０２ａと、被覆体Ａと第２シートＢ２とを畳重して覆う第２覆体２０２ｂとを備える。第１覆体２０２ａは、４つの矩形開口部２０４（第１開口部２０４ａ、第２開口部２０４ｂ、第３開口部２０４ｃ、第４開口部２０４ｄ）を有し、第２覆体２０２ｂは、４つの矩形開口部２０５（第１開口部２０５ａ、第２開口部２０５ｂ、第３開口部２０５ｃ、第４開口部２０５ｄ）を有する。更に、矩形開口部２０４は第１シートＢ１が露出する位置に設けられており、矩形開口部２０５は第２シートＢ２が露出する位置に設けられている。
【００２２】
カバー２００は、被覆体Ａの一部（ブックの表表紙）を保持する第１保持部２０６ａと被覆体Ａの他の一部（ブックの裏表紙）を保持する第２保持部２０６ｂとを備える。第１覆体２０２ａと第１保持部２０６ａとの間には、第１シートＢ１と被覆体Ａの一部とを差し込む第１差込部２０８ａが形成されており、第２覆体２０２ｂと第２保持部２０６ｂとの間には、第２シートＢ２と被覆体Ａの他の一部とを差し込む第２差込部２０８ｂが形成されている。その結果、被覆体Ａと第１シートＢ１とは畳重して覆体２０２ａに覆われ、第１シートＢ１に付された模様が開口部２０４から視認し得るように第１シートＢ１が配置され得る。さらに、被覆体Ａと第２シートＢ２とは畳重して覆体２０２ｂに覆われ、第２シートＢ２に付された模様が開口部２０５から視認し得るように第２シートＢ２が配置され得る。
【００２３】
第１保持部２０６ａは第１溶着領域２２０ａを含む。第１溶着領域２２０ａは、高周波溶着機によって第１覆体２０２ａと第１保持部２０６ａとを溶着したことによって生じた領域であり、第１溶着領域２２０ａにおいて、第１覆体２０２ａと第１保持部２０６ａとが溶着している。第２保持部２０６ｂは第２溶着領域２２０ｂを含む。第２溶着領域２２０ｂは、高周波溶着機によって第２覆体２０２ｂと第２保持部２０６ｂとを溶着したことによって生じた領域であり、第２溶着領域２２０ｂにおいて、第２覆体２０２ｂと第２保持部２０６ｂとが溶着している。
【００２４】
カバー２００は、第１覆体２０２ａと第２覆体２０２ｂとを係止する係止部２１０を更に備える。係止部２１０は、第３溶着領域２２２ａと第４溶着領域２２２ｂとを含む。第３溶着領域２２２ａは、高周波溶着機によって第１覆体２０２ａと係止部２１０とを溶着したことによって生じた領域であり、第４溶着領域２２２ｂは、高周波溶着機によって第２覆体２０２ｂと係止部２１０とを溶着したことによって生じた領域である。第３溶着領域２２２ａと第４溶着領域２２２ｂとにおける溶着によって、第１覆体２０２ａと第２覆体２０２ｂとが連結する。
【００２５】
本考案の実施形態２において、第１覆体２０２ａ及び第２覆体２０２ｂは矩形の黒色合成プラスチック（塩化ビニル）であり、第１保持部２０６ａ及び第２保持部２０６ｂは半透明フィルム（塩化ビニル）である。更に、係止部２１０は不透明フィルム（塩化ビニル）である。
【００２６】
[ブックカバー製造方法]
図４は、本考案の実施形態２に係るカバー２００の製造方法を示す模式図である。カバー２００は、ステップ４０２からステップ４０８を実行することによって製造される。
【００２７】
ステップ４０２：覆体（第１覆体２０２ａと第２覆体２０２ｂ）を配置する。
【００２８】
ステップ４０４：第１覆体２０２ａの一部を露呈するように、第１覆体２０２ａに重ねて第１保持部２０６ａを配置する。第２覆体２０２ｂの一部を露呈するように、第２覆体２０２ｂに重ねて第２保持部２０６ｂを配置する。第１差込部２０８ａが形成される領域を避けて第１覆体２０２ａと第１保持部２０６ａとを溶着することで第１溶着領域２２０ａが形成され、第２差込部２０８ｂが形成される領域を避けて第２覆体２０２ｂと第２保持部２０６ｂとを溶着することで第２溶着領域２２０ｂが形成される。溶着されていない部分に第１差込部２０８ａと第２差込部２０８ｂとが形成される。本考案の実施形態においては、既存の高周波溶着機（高周波ウェルダー）を用いることで部材同士を溶着し得る。
【００２９】
ステップ４０６：露呈した第１覆体２０２ａの一部に重ねて係止部２１０を配置する。露呈した第２覆体２０２ｂの一部に重ねて係止部２１０を配置する。
【００３０】
ステップ４０８：第１覆体２０２ａと係止部２１０とが重なった領域を溶着することで第３溶着領域２２２ａが形成され、第２覆体２０２ｂと係止部２１０とが重なった領域を溶着することで第４溶着領域２２２ｂが形成される。
【００３１】
図５は、本考案の実施形態２に係るカバー２００の他の製造方法を示す模式図である。カバー２００は、ステップ５０２からステップ５０８を実行することによって製造される。
【００３２】
ステップ５０２：覆体（第１覆体２０２ａと第２覆体２０２ｂ）と保持部５３０とを準備する。保持部５３０は、第１破線部５４０ａと第２破線部５４０ｂとを有する。第１破線部５４０ａと第２破線部５４０ｂとには、第１破線部５４０ａの近傍に力を作用させることで第１破線部５４０ａに沿って保持部５３０を破ることができるように、また、第２破線部５４０ｂの近傍に力を作用させることで第２破線部５４０ｂに沿って保持部５３０を破ることができるように、破線状に切り込みが入っている。
【００３３】
ステップ５０４：覆体（第１覆体２０２ａと第２覆体２０２ｂ）を覆うように保持部５３０を覆体の上にかぶせる。
【００３４】
ステップ５０６：保持部５３０と覆体とを接合する。覆体の内側を囲むように覆体の外縁に沿って保持部と覆体との溶着を実行する。具体的には、第１覆体２０２ａの内側を囲むように第１覆体２０２ａの外縁に沿って保持部５３０と第１覆体２０２ａとを溶着し、第５溶着領域５２０ａを形成する。第１破線部５４０ａは、第５溶着領域５２０ａに囲まれる。第１破線部５４０ａは、第５溶着領域５２０ａの近傍に位置する。同様に、第２覆体２０２ｂの内側を囲むように第２覆体２０２ｂの外縁に沿って保持部５３０と第２覆体２０２ｂとを溶着し、第６溶着領域５２０ｂを形成する。第２破線部５４０ｂは、第６溶着領域５２０ｂに囲まれる。第２破線部５４０ｂは、第６溶着領域５２０ｂの近傍に位置する。
【００３５】
ステップ５０８：第１破線部５４０ａと第２破線部５４０ｂとに沿って保持部５３０を破断することにより、被覆体Ａを差し込む差込部を形成する。具体的には、第１破線部５４０ａに沿って保持部５３０を破断することにより、被覆体Ａの一部（本の表表紙）を差し込む第１差込部２０８ａを形成する。第２破線部５４０ｂに沿って保持部５３０を破断することにより、被覆体Ａの他の一部（本の裏表紙）を差し込む第２差込部２０８ｂを形成する。第１破線部５４０ａと第２破線部５４０ｂとに沿って保持部５３０を破ることで、保持部５３０は、第１保持部２０６ａと第２保持部２０６ｂと係止部２１０とに分離される。
【００３６】
以上、図４及び図５を参照して本考案のカバー２００の製造方法を説明した。
図４を参照して説明した本考案の実施形態２に係るカバー２００の製造方法においては、係止部２１０の幅を任意に変更することで、種々の幅を有する被覆体Ａのカバーとして機能し得る。
【００３７】
図５を参照して説明した本考案の実施形態２に係るカバー２００の製造方法は、被覆体を保護するカバーを製造する方法であって、被覆体を保持する保持部と被覆体を覆う覆体とを準備する準備工程と、保持部と覆体とを接合する接合工程と、保持部の一部を破断することにより被覆体を差し込む差込部を形成する差込部形成工程とを包含する。保持部と係止部とを一体に接合し得るため接合工程が簡易になり、製造工程の合理化を進めることができる。
【００３８】
本実施形態の好適なカバー製造方法においては、接合工程は、覆体の内側を囲むように覆体の外縁に沿って保持部と覆体との溶着を実行する。本実施形態の好適なカバー製造方法においては、差込部形成工程は、保持部の内側のうち前記溶着された部分の近傍を破断することによって差込部の形成を実行する。本実施形態の好適なカバー製造方法においては、差込部形成工程は、保持部の２か所を破断することによって第１差込部と第２差込部との形成を実行する。
【００３９】
尚、図５を参照して説明したカバーの製造方法においては、保持部５３０が第１破線部５４０ａと第２破線部５４０ｂとを有することに限定されない。保持部の一部を破断し得る限りは、ナイフ等を用い得る。また、保持部と覆体とを接合し、保持部の一部を破断することにより被覆体を差し込む差込部を形成し得る限りは、溶着領域は覆体の外縁に沿った領域に限定されない。覆体の内部も溶着され得る。
【００４０】
図４と図５とを参照して、カバー製造方法を説明したが、製造方法によって製造されるカバーは、開口部を有する覆体を備えることに限定されない。覆体は、開口部を有さないことがあり得る。
【００４１】
図４と図５とを参照して、上記製造方法に包含された接合工程を説明したが、接合工程は溶着によって実行されることに限定されない。部材同士が引っ付く限り（接合される限り）は、接着剤を用いることで部材同士を接着することもあり得る。溶着する場合は、被溶着部材の素材は同じ方が好ましい。溶着によれば、融点を超えるまで熱可塑性の樹脂部材を加熱し圧力を加えると、部材同士は分子レベルで接合する。一方、接着する場合は、被接着部材の素材の同一性は問わない。
【００４２】
以上、図１〜５を参照して本発明の実施形態１及び実施形態２を説明した。本考案の実施形態１及び実施形態２では、覆体と保持部との間にシートを差し込む形態を説明したが、開口部を有する覆体が被覆体とシートとを畳重して覆い、開口部が、シートが露出する位置に設けられている限りは、覆体と保持部との間にシートを差し込む形態に限定されない。例えば、被覆体にシートを貼り、更に覆体をシートの上に貼る形態も、本考案に含まれる。又、被覆体にシートを貼り、更に覆体をシートの上に貼る形態であっても、覆体とシートとを剥がした後に別のシートを貼り、更に覆体をシートの上に貼り得る場合は、被覆体に依存することなく使用者の感性や目的に合わせてシートを選択して用いることができ、オリジナルのカバーを実現し得る。
【００４３】
本考案の実施形態１及び実施形態２に係るカバーは、カードケース、カードケース用カバー、又はブックカバーとして機能するが、本考案の実施形態１及び実施形態２に係るカバーは、これらに限定されない。開口部からシートが視認し得る限りは、被覆体は任意であり、例えば、ノート、案内冊子、又はアルバムを選択し得る。従って、本考案の実施形態１及び実施形態２に係るカバーはノートカバー、案内冊子カバー又はアルバムカバーとしても機能し得る。
【００４４】
[実施形態３]
[照明灯用カバー]
図６は、本考案の実施形態３に係るカバー３００を示す写真である。カバー３００は、被覆体Ａを保護する。本考案の実施形態３において、被覆体Ａは照明灯である。本考案の実施形態３において、カバー３００は、照明灯用カバーとして機能する。
【００４５】
カバー３００は、４つの覆体５０２（第１覆体５０２ａ、第２覆体５０２ｂ、第３覆体５０２ｃ、第４覆体５０２ｄ）と４つの係止部５１０（第１係止部５１０ａ、第２係止部５１０ｂ、第３係止部５１０ｃ、第４係止部５１０ｄ）とを備える。第１覆体５０２ａ、第２覆体５０２ｂ、第３覆体５０２ｃ及び第４覆体５０２ｄの各々は複数の開口部を有し、複数の開口部は、シートが露出する位置に設けられている。又、第１係止部５１０ａは第１覆体５０２ａと第２覆体５０２ｂとを係止し、第２係止部５１０ｂは第２覆体５０２ｂと第３覆体５０２ｃとを係止し、第３係止部５１０ｃは第３覆体５０２ｃと第４覆体５０２ｄとを係止し、第４係止部５１０ｄは第４覆体５０２ｄと第１覆体５０２ａとを係止する。
【００４６】
カバー３００は、４つの保持部５０６（第１保持部５０６ａ、第２保持部５０６ｂ、第３保持部５０６ｃ、第４保持部５０６ｄ）を更に備える。第１保持部５０６ａは第１シートＢ１を交換可能に保持し、第２保持部５０６ｂは第２シートＢ２を交換可能に保持し、第３保持部５０６ｃは第３シートＢ３を交換可能に保持し、第４保持部５０６ｄは第４シートＢ４を交換可能に保持する。
【００４７】
本考案の実施形態３において、４つの覆体５０２は矩形の黒色合成プラスチック（塩化ビニル）であり、４つの保持部５０６は長矩形の黒色合成プラスチック（塩化ビニル）である。更に、４つの係止部５１０は不透明フィルム（塩化ビニル）である。
【００４８】
以上、図６を参照して本発明の実施形態３のカバー３００を説明した。なお、本考案の実施形態３において、カバー３００が備える覆体は４つに限定されない。被覆体Ａ（照明灯）を保護し得る限りは、カバー３００が備える覆体は３つ以上であり得る。カバー３００が備える覆体が３つ以上の場合に、被覆体Ａの周りを覆体で囲み、被覆体Ａ（照明灯）を保護し得る。さらに、覆体は２つでもあり得る。覆体が２つの場合は、被覆体Ａ近傍に２つの覆体を屏風のように建て掛けることで、被覆体Ａ（照明灯）を保護し得る。
【００４９】
本考案の実施形態３に係るカバーは、照明灯用カバーとして機能するが、本考案の実施形態３に係るカバーは、これらに限定されない。開口部からシートが視認し得る限りは、被覆体は任意であり、例えば、ろうそく又は香炉を選択し得る。従って、本考案の実施形態３に係るカバーはろうそく用カバー又は香炉カバーとしても機能し得る。
【００５０】
以上、図１〜図６を参照して、実施形態１〜実施形態３を説明した。実施形態１〜実施形態３に係るカバーによれば、カバーが有する少なくとも１つの開口部は、シートが露出する位置に設けられている。よって、少なくとも１つの開口部からシートを視認することができる。その結果、被覆体に依存することなくシートを視認することができるカバーを実現し得る。
【００５１】
本考案の実施形態では、シートの形状は矩形であり、シートの素材は和紙であり、シートの模様は単純模様であったが、本考案はこれらに限定されない。シートの形状は、覆体が有する開口部から視認し得る限りは任意であり得る。シートの形状は、多角形状や円形状であり得る。シートの素材は、プラスチック、布、金属であり得る。シートの模様は、任意の模様であり得る。例えば、着物に付されるような和風模様、又はエスニック風模様であり得る。図７は、複数のカバー（第１カバー６００ａ、第２カバー６００ｂ、第３カバー６００ｃ、第４カバー６００ｄ）を示す写真である。複数のカバーの各々には、異なった模様が付されたシートが差し込まれている。
【００５２】
本考案の実施形態では、覆体が有する開口部の形状は矩形であり、覆体の縦に４列、覆体の横に１行で並んでいたが、本考案では、開口部からシートが視認し得る限りは開口部の形状及び開口部の個数は任意である。図８は、複数の覆体（覆体ａ、覆体ｂ、覆体ｃ）を示す。図８（ａ）は、覆体ａを示す写真である。覆体ａが有する複数の矩形開口部は、覆体ａの縦に６列、覆体ａの横に５行で並んでいる。図８（ｂ）は、覆体ｂを示す模式図である。覆体ｂが有する複数の三角形状開口部は、覆体ｂの縦に３列、覆体ｂの横に３行並んでいる。図８（ｃ）は、覆体ｃを示す模式図である。覆体ｃは、２つの三角形状開口部と２つの台形状開口部とを有する。
【００５３】
本考案の実施形態では、覆体の形状は矩形であり、覆体の色は黒であり、覆体の素材は合成プラスチック（塩化ビニル）であったが、本考案はこれらに限定されない。例えば、覆体の形状は、矩形以外の形状（多角形、円形等）であり得る。覆体の色も任意であり、白、赤、鏡調の色、木目調の色、更にはシルバー等の金属調の色等、様々な色であり得る。また、覆体の素材はアクリル、布、紙、金属であり得る。更に、覆体の素材が被覆体の素材より強い場合は、外部からの衝撃による被覆体の変形、損壊を防ぎ得る。
【００５４】
本考案の実施形態では、保持部の形状は矩形であり、保持部の素材は透明フィルム（塩化ビニル）や半透明フィルム（塩化ビニル）であったが、本考案の実施形態では、これらに限定されない。被覆体やシートを保持し得たり、覆体との間にシートを差し込む差込部を形成し得たりする限りは、保持部の形状や素材は任意である。例えば、保持部の形状は帯状であり得る。例えば、保持部の素材はアクリルであり得る。
【００５５】
更に、本考案の実施形態では、係止部は不透明フィルムであったが、係止部は覆体と覆体とを係止し得る限りは任意である。例えば、係止部はマジックテープ（登録商標）、磁石やスナップボタンであり得る。
【産業上の利用可能性】
【００５６】
本考案のカバーは、被覆体に依存することなく使用者の感性や目的に合わせてシートを選択して用いることができるオリジナルカバーに利用可能である。
【符号の説明】
【００５７】
１００    カバー
Ａ        被覆体
Ｂ        シート
１０２    覆体
１０４    ４つの矩形開口部
１０４ａ  第１開口部
１０４ｂ  第２開口部
１０４ｃ  第３開口部
１０４ｄ  第４開口部
１０６    保持部
１０８    差込部
２００    カバー
Ｂ１      第１シート
Ｂ２      第２シート
２０２ａ  第１覆体
２０２ｂ  第２覆体
２０４    ４つの矩形開口部
２０５    矩形開口部
２０６ａ  第１保持部
２０６ｂ  第２保持部
２０８ａ  第１差込部
２０８ｂ  第２差込部
２１０    係止部
３００    カバー
５０２    ４つの覆体
５０６    ４つの保持部
５１０    ４つの係止部
【図１】
0003164620.tif 000003
【図２】
0003164620.tif 000004
【図３】
0003164620.tif 000005
【図４】
0003164620.tif 000006
【図５】
0003164620.tif 000007
【図６】
0003164620.tif 000008
【図７】
0003164620.tif 000009
【図８】
0003164620.tif 000010